(57)【要約】      （修正有）【課題】高い強度を有し、折り畳んだ大きさがコンパクトな踏み台を提供する。【解決手段】踏み台は、足置き部材１と足置き部材１を乗せる板状の６枚の台座板２，３から成り、台座板２，３の内２枚は他４枚より横幅が広く形成され、６枚の台座板２，３は其々ヒンジ４の構造を有して環状に接続している。横幅の狭い、連なった台座板３は環の２箇所において、対向する配置となっている。更に横幅の広い台座板２の上部と足置き部材１の端部から中央に至るまでの片側の所定の箇所がヒンジ４で接続されている。足置き部材１と足置き部材を接続していない横幅の広い台座板２を対応させ、そのいずれか一方に引き張り部材６を取り付け、取り付け部分と対応する他方の部分にフック５又は孔を形成し、互いを引き張り部材６で繋げる構造とした。【選択図】図１
2011163100.tif 000002
【特許請求の範囲】
【請求項１】
少なくとも上側に足を乗せる面を有する足置き部材と該足置き部材を乗せる板状の６枚の台座板からなり、該台座板６枚の内２枚は他４枚より横幅が広く形成されている。該６枚の台座板は其々、左右端部又は該端部から所定の間隔を有してヒンジの構造を有して環状に接続している。その際、前記台座板は横幅の広い台座板の次ぎに横幅の狭い台座板が２枚連なって接続しており、更にその次に横幅の広い台座板が１枚接続しており、更にその次に横幅の狭い台座板が２枚連なって接続しており、更にその次に始めに記した横幅の広い台座板が接続している。前記横幅の狭い、連なった台座板２枚は環の２箇所において、該２枚同士が対向する配置となっており、該２箇所において連なった２枚の接続部分が環の内側に入る構造となっている。更に横幅の広い台座板１枚の上部と前記足置き部材の端部から中央に至るまでの片側の所定の箇所がヒンジで接続されている。更に該足置き部材と足置き部材を接続していない横幅の広い台座板を対応させ、そのいずれか一方の所定の箇所に紐状又は帯状又は鎖状又はその他の形状の所定の長さを有する引き張り部材を取り付け、該引き張り部材取り付け部と対応する他方の部材の所定の箇所にフック又は孔を形成し、互いを引き張り部材で繋げる構造としたことを特徴とする折り畳み式踏み台。
【請求項２】
足置き部材又は足置き部材を接続していない横幅の広い台座板のいずれかの面において、足置き部材の片側に形成したヒンジの軸線と直交する方向で、前記いずれかの面の中央からヒンジの側と対向する側の端部に至る所定の箇所にフックを形成したことを特徴とする請求項１に記載の折り畳み式踏み台。
【請求項３】
引き張り部材に取っ手を取り付けたことを特徴とする請求項１〜２に記載の折り畳み式踏み台。
【発明の詳細な説明】
【技術分野】
【０００１】  本発明は足を乗せる折り畳み式踏み台に関する。
【背景技術】
【０００２】  従来、折り畳み式又は組み立て式の踏み台は色々提供されているが、いずれの物も折り畳み方法は簡単であるが、折り畳んだ形がコンパクトでなく、又、構造上、足を乗せる部分が弱く、静かに乗り降りをしなくてはなら無いものや又はコンパクトにはなるが、組み立てに手間が掛かると云ったものであった。
【発明が解決しようとする課題】
【０００３】  本発明は従来のものよりも強度を有して、よりコンパクトになり、且つ持ち運び易い折り畳み式踏み台を提供することを課題とする。
【課題を解決するための手段】
【０００４】  上記課題を解決するために、本発明は次ぎの如き折り畳み式踏み台を提供する。
１、少なくとも上側に足を乗せる面を有する足置き部材と該足置き部材を乗せる６枚の板材の台座板から成り、該台座板６枚の内２枚は他４枚より横幅が広く形成されている。該６枚の台座板は其々、左右端部又は該端部から所定の間隔を有してヒンジの構造を有して環状に接続している。その際、前記台座板は横幅の広い台座板の次ぎに横幅の狭い台座板が２枚連なって接続しており、更にその次に横幅の広い台座板が１枚接続しており、更にその次に横幅の狭い台座板が２枚連なって接続しており、更にその次に始めに記した幅の広い台座板が接続している。前記横幅の狭い、連なった台座板２枚は環の２箇所において、該２枚同士が対向する配置となっており、該２箇所において連なった２枚の接続部分が環の内側に入る構造となっている。更に横幅の広い台座板１枚の上部と前記足置き部材の端部から中央に至るまでの片側の所定の箇所がヒンジで接続されている。更に該足置き部材と足置き部材を接続していない横幅の広い台座板を対応させ、そのいずれか一方の所定の箇所に紐状又は帯状又は鎖状又はその他の形状の所定の長さを有する引き張り部材を取り付け、該引き張り部材取り付け部と対応する他方の部材の所定の箇所にフック又は孔を形成し、互いを引き張り部材で繋げる構造としたことを特徴とする折り畳み式踏み台。
２、足置き部材又は足置き部材を接続していない横幅の広い台座板のいずれかの面において、足置き部材の片側に形成したヒンジの軸線と直交する方向で、前記いずれかの面の中央からヒンジの側と対向する側の端部に至る所定の箇所にフックを形成したことを特徴とする上記第１項に記載の折り畳み式踏み台。
３、引き張り部材に取っ手を取り付けたことを特徴とする上記第１〜２項のいずれかに記載の折り畳み式踏み台。
【発明実施の形態】
【０００５】  以下、図面を参照しながら本発明の各種態様に掛かる折り畳み式踏み台に関して説明する。以下の説明は、本発明の技術思想を具現化する幾つかの具体例を説明するもので、本発明は以下の説明に限定されるものでは無い。
【０００６】  図１は本発明の一態様に係る折り畳み式踏み台の構造を示す平面図（ａ）と正面図（ｂ）と側面図（ｃ）である。図１に示す折り畳み式踏み台は使用する際の形態における構造を示すものであり、以下の部材で構成されている。先ず、足を乗せる為の面を上側に有する、板状の足置き部材１及び足置き部材１を乗せる板状の台座板（幅の広い台座板２及び幅の狭い台座板３で構成されている）。それらを接続するヒンジ（蝶番）４及び足置き部材１の裏側に取り付けたフック５及び幅の広い台座板２に取り付けた紐状の引き張り部材６で構成されている。構造の説明をすると、図１に示す様に足置き部材１を載せる横幅の広い台座板２とその隣に接続する、連なった２枚の横幅の狭い台座板、計６枚がその左右端部をヒンジ４で接続され方形に形成されている。請求項１において（左右端部又は該端部から所定の間隔を有して）と記しているが、実施上、最も好ましいのは端部であり、端部から３ｃｍ程度までが許容範囲である。使用する際、該台座板を方形に広げて足置き部材１をその上側に軸棒８を軸として回転させて乗せ、踏み台を形成するものである。足置き部材１はその端部から中央に至る片側の所定の箇所に、台座板と同様に軸棒８を左右二か所に形成してヒンジの構造を有しており、横幅の広い台座板２の１枚に接続している。この場合の所定の箇所とは実施上、前述の許容範囲と同様に端部又は端部から３ｃｍ程度以内が好ましい。又、組み立てた際に台座板の環状の形態（図１では方形の形状）が崩れない様にすることが必要であるが、その方法は任意である。実施上は台座板間に凹凸を付けて嵌め合わせる構造にしても良いし、ズレを止める何らかの部材を台座間に形成しても良い。足置き部材１と台座板間においても同様である。但し、方形としているのは図１でのことであり、環状であることが要件である。又、足置き部材１と横幅の狭い台座板３との間で、特に軸棒８付近に幅２０ｍｍ高さ１０ｍｍ程度の間隙を形成しても良い。この様にすると足置き部材１を回転させ乗せる際に、軸棒８の近くで指を挟まれることを防ぐことができる。又、図１においては足置き部材１の裏側にはその中央部上側にフック５が形成されており、更に、足置き部材１が接続していない横幅の広い台座板２の下側中央端部には紐状の引き張り部材６が取り付けてある。ここで云う上側及び下側とは図１の図面上の表現である。因みに図２ではフック５の取り付け位置も中央部より下側に記されている。これらの位置に就いては段落（０００７）及び図２において説明する。更に各部分の詳細に関して説明すれば、図１では足置き部材１は上部に足を乗せる面を有する板状の部材で形成されている。強度を増やすために裏側にリブ７を形成しても良い（図２ではリブ７は省略している）又、軽量化の為に孔又は切り込みを形成しても良い。ここで云う、上部に足を乗せる面を有するとは、例えば棒状の部材を複数本、所定の間隔を有して並べた形態でも上部に足を乗せられる面が形成されれば、これに該当する形状である。寸法は任意であるが実施上、縦、横が４０ｃｍ以内が好ましい。厚さはリブを形成しても３ｃｍ以下が好ましい。足置き部材の形状は任意であり、図１に記した方形即ち四角形にこだわる���要は無い。漫画や動物やその他色々なキャラクターで形成しても乗るに十分な強度を有していれば構わない。両足裏の形にしても良い。又、足置き部材１の上部面に縦、横、高さが５ｍｍ程度の小突起を複数形成しても良い。この様にすると足の裏を部分的に押すことができ、指圧の効果を得ることができる。材質は任意であるが、実施上は木材又は軽金属又はプラスチックなどから選択できる。次に台座板２及び台座板３であるが、台座板は板状の部材で形成されている。寸法に就いて云えば、横幅の広い台座２の横幅は横幅の狭い台座板３の横幅の倍以上であることが必要である。この点に就いては図２で更に説明する。台座板にも足置き部材１と同様にリブ又は孔又は切り込みを形成しても良い。形状及び寸法及び材質は足置き部材１と同様に任意であるが、実施上。横幅の広い台座板２の横幅は４０ｃｍ以内、高さは３０ｃｍ以内が好ましく、又、横幅の狭い台座板３の横幅は２０ｃｍ未満、高さは３０ｃｍ以内が好ましい。図１に記した形状は長方形の組み合わせとなっているが、実施上は使用時の安定性からすると台形にすると良い。次にヒンジ４であるが図１においては台座板相互を接続している部分は一般的に云う蝶番である。構造は任意である。台座板相互が雄雌の噛み合わせの構造を有するヒンジであっても良い。又、足置き部材１と横幅の広い台座２板を相互に接続しているのは所定の長さを有する軸棒８であり、該軸棒８を軸として回転する構造となっている。この構造においても軸棒８を有して回転する部分はヒンジである。次に横幅の広い台座板２の引き張り部材取り付け部１０に取り付けられた引き張り部材６であるが、図１では紐状の部材で示されているが、その他帯状又は鎖状の所定の長さを有した部材であれば帯状又は鎖状のものでも良い。そして、少なくとも下記するフック５に掛ける部分は柔軟性を有することが好ましい。実施上、長さは１０ｃｍ以上で太さ又は厚みは１ｃｍ以内程度で良い。材質も任意である。引き張り部材取り付け部１０の位置は下記に説明するフック５又は孔９（図３に示している）との関係で決定される。引き張り部材６とフック５又は孔９は足置き部材１とそれに対応する横幅の広い、足置き部材１を接続していない台座版２のいずれかに其々も対応して取り付けられ又は形成されている。基本的には引き張り部材６の取り付け位置は任意である。次に定置き部材１の裏側に形成したフック５であるがこれは本折り畳み式踏み台を折り畳んだ時に引き張り部材６を該フック５に掛けて引き張り、持ち上げた際に折り畳んだ形状が開かないようにするものである。該フック５の形状及び寸法及び材質は任意である。実施上は鉤型やＵ字型やきのこ型などが選択できる。鉤型の場合、寸法は実施上、長さ３ｃｍ以下で幅は１ｃｍ以内程度、高さは足置き部材１から２ｃｍ以内程度が好ましい。該フック５は図３で示す様に所定の大きさを有した孔９の形状でも、該孔９に引き張り部材を通せばフック５と同様の役割を果たすことができる。又フック５の形成位置及び方向は任意であり、適切な箇所を実施上選択して決定することが好ましいが、形成箇所を限定することも可能である。この位置関係と引き張り部材６の掛け方に就いては図２で説明する。
【０００７】  図２は本折り畳み式踏み台を折り畳んだ構造を示す平面図（ａ）及び正面図（ｂ）及び側面図（ｃ）である。図２に示す折り畳み式踏み台は図１の形態から、２枚の連なる横幅の狭い台座板３の接続部をヒンジ４の回転で内側に挿入して方形を折り畳み、且つ足置き部材１を左右の軸棒８を繋ぐ線を軸線１２として回転させ、裏側を表側にした形態を示すものである。この場合、横幅の狭い台座板３の幅が横幅の広い台座板２の半分以下であるために図２の形態と成るのであり、これが広いと左右の幅の狭い台座板３が重なりコンパクトには折り畳めない不具合が生じるのである。又、台座板の厚みとヒンジ４の厚みを薄く形成することにより、折り畳んだ際の厚みをより薄くすることができる。図２は折り畳んだ状態において、横幅の広い台座板２に取り付けた引き張り部材６を足置き部材１の裏側に形成したフック５に掛けたものである。この場合フック５は図１とは異なり、足置き部材１が裏側になった為、足置き部材の中央から下側の位置になっている。ここで云う下側とは軸棒８を繋ぐヒンジ４の軸線１２からヒンジ４が回転して足置き部材１が足置き部材１と接続した台座板２から開き離れる方向を示す。又、この方向は軸線１２と直交する方向であり、更に、本踏み台を使用する形態で云えば使用する際に台座板が床に接触する側を示す。この形態で、引き張り部材６を台座板２の下側からフック５に回して掛け、更に下側方向に引き張り持ち上げると、引き張り部材取り付け部１０とフック５の間が引き寄せられ、折り畳んだままで持ち上げることができるのである。フック５が図１で示す足置き部材１の中央より上側に位置し、単に掛けるだけの構造のフックであると、引き張り部材６を掛けた場合重心バランスが取り難く、回転して引き張り部材６が外れる不具合が生じる恐れがある。これを防ぐための手段として、請求項２で次のように規定する。足置き部材１又は足置き部材を接続していない横幅の広い台座板２のいずれかの面において、足置き部材１の片側に形成したヒンジ４の軸線１２と直交する方向で、前記いずれかの面の中央からヒンジ４の側と対向する側の端部に至る所定の箇所にフック５を形成するとしたものである。ここでいうヒンジ４の側と対向する側の端部と云うのが前述の下側の意味である。但し、フック５が下側に形成されていても、引き張り６を上側から掛けると、足置き部材１の下側が上方に向かって開いてしまう不具合が生じてしまうのである。このため下側から回してフック５に掛けることは必要であり、更に引き上げて下げた際に左右のバランスを取るためにできるだけ中央部に近い箇所にフック５を形成することが好ましい。又、下側から回してフック５に掛けても引き張り部材取り付け部１０とフック５が側面方向に近寄った箇所に形成されると、遠ざかった側の側面が開いてしまう不具合が生じるのである。これを防ぐ為に引き張り部材取り付け部１０とフック５は中央部（中央から軸線１２に平行方向に左右１０ｃｍ以内）に近いことが好ましい。実施上、中央から軸線１２に平行方向に前横幅の３分の１以内の寸法がこのましいが。位置は吊り下げた際のバランス取って経験的に決定されて良い。又、請求項２ではフックの形成箇所に限って規定���たものであり、孔９はこの限りでは無い。孔９の場合は孔の形状によって、掛けた引き張り部材６が外れることが無いからである。再度請求項１に戻って説明すれば、フック５又は孔９は一箇所だけでなく複数箇所に形成しても良い。そして、踏み台の形にして使用する際は引き張り部材６をフック５から外し、６枚の台座板を方形に形成し、足置き部材１を回転させて乗せることで踏み台として使用できるのである。
【０００８】  図３は前述した、孔９の形態について部分的に示す斜視図である。図３は足置き部材１の裏側に図２に示したフック５を裏側表面に手前から向こう側に貫通した孔９にして形成した図である。ヒンジとの関係を示すため軸棒８を記している。孔９に引き張り部材を通してそれを引き上げることで前記フックと同様に折り畳んだ踏み台を折りたたんだまま持ち運びすることができる。孔９の形状及び差し渡しは任意であり、引き張り部材を通し易い寸法は経験的に決定されて良い。又、足置き部材１又は台座板２に形成する位置はフックと同様である。
【０００９】    図４は引き張り部材６に取っ手１１を付けたものである。この様にすると持ち易くなる。寸法及び材質は任意である。
【００１０】  上記において、本発明の折り畳み式踏み台の各部の好ましい形状及び寸法及び材質に就いて説明したが、上記説明の中で規定した内容以外は、形状、寸法、材質に就いては適宜経験的に決定することができる。
【発明の効果】
【００１１】  本発明の折り畳み式踏み台に依れば、乗った際に強度を有することができ、更に折り畳んだ際の大きさを従来品よりコンパクトにすることができる。
【図面の簡単な説明】
【００１２】
【図１】  本発明の一態様に係る折り畳み式踏み台の構造を示す平面図（ａ）と正面図（ｂ）と側面図（ｃ）である。
【図２】  本発明の一態様に係る折り畳み式踏み台の構造を示す平面図（ａ）と正面図（ｂ）と側面図（ｃ）である。
【図３】  本発明の一態様に係る折り畳み式踏み台の各種形態を部分的に示す斜視図である。
【図４】  本発明の一態様に係る折り畳み式踏み台の一部分の形態を示す斜視図である。
【符号の説明】
【００１３】１、足置き部材
２、横幅の広い台座板
３、横幅の狭い台座板
４、ヒンジ
５、フック
６、引き張り部材
７、リブ
８、軸棒
９、孔
１０、引き張り部材取り付け部
１１、取っ手
１２、軸線
【図１】
2011163100.tif 000003
【図２】
2011163100.tif 000004
【図３】
2011163100.tif 000005
【図４】
2011163100.tif 000006